(57)【要約】【課題】衝撃による保持位置からのずれを回避し、電源スイッチのオンおよび電源節約状態からの復帰の際の、撮影するまでに時間がかかってしまうという欠点を排除する。【解決手段】衝撃検出手段からの出力から、電源スイッチのオフの期間もしくは電源節約状態の期間に、外部からの衝撃があったと判定した場合には（＃７０１の１）、電源スイッチのオンおよび電源節約状態からの復帰の際に、駆動手段によって発光源と照射レンズの距離を初期の状態に移動させるように制御する（＃７０２〜＃７０４）とともに、外部からの衝撃がなかったと判定した場合には（＃７０１の０）、駆動手段によって発光源と照射レンズの距離を初期の状態に移動させないように制御する（＃７０１→終了）。【選択図】図７
2009229904.tif 000002
【特許請求の範囲】
【請求項１】
撮影レンズの焦点距離に合わせて発光源と照射レンズの距離を変えることにより照射角が変えられるズーム機能を持ち、
前記発光源と照射レンズの距離を変える駆動手段を有し、
電源スイッチのオンおよび電源節約状態からの復帰の際には、前記駆動手段によって前記発光源と照射レンズの距離を初期の状態に移動させるストロボ装置において、
前記電源スイッチのオフの期間および電源節約状態の期間でも電源が供給されて、外部からの衝撃を検出する衝撃検出手段と、
前記衝撃検出手段からの出力より、前記電源スイッチのオフの期間もしくは電源節約状態の期間に、外部からの衝撃があったと判定した場合には、前記電源スイッチのオンおよび電源節約状態からの復帰の際に、前記駆動手段によって前記発光源と照射レンズの距離を初期の状態に移動させるように制御するとともに、前記電源スイッチのオフの期間もしくは電源節約状態の期間に、外部からの衝撃がなかったと判定した場合には、前記電源スイッチのオンおよび電源節約状態からの復帰の際に、前記駆動手段によって前記発光源と照射レンズの距離を初期の状態に移動させないように制御する制御手段とを有することを特徴とするストロボ装置。
【請求項２】
撮影レンズの焦点距離に合わせて発光源と照射レンズの距離を変えることにより照射角が変えられるズーム機能を持ち、
前記発光源と照射レンズの距離を変える駆動手段を有し、
電源スイッチのオンおよび電源節約状態からの復帰の際には、前記駆動手段によって前記発光源と照射レンズの距離を初期の状態に移動させるストロボ装置において、
前記電源節約状態の期間でも電源が供給されて、外部からの衝撃を検出し、前記電源スイッチのオフの期間では電源の供給が断たれる衝撃検出手段と、
前記衝撃検出手段からの出力より、前記電源節約状態の期間に、外部からの衝撃があったと判定した場合には、電源節約状態からの復帰の際に、前記駆動手段によって前記発光源と照射レンズの距離を初期の状態に移動させるように制御するとともに、前記電源節約状態の期間に、外部からの衝撃がなかったと判定した場合には、前記電源節約状態からの復帰の際に、前記駆動手段によって前記発光源と照射レンズの距離を初期の状態に移動させないように制御し、前記電源スイッチがオフからオンとなる際には、前記衝撃検出手段の出力に無関係に前記駆動手段によって前記発光源と照射レンズの距離を初期の状態に移動させるように制御する制御手段とを有することを特徴とするストロボ装置。
【発明の詳細な説明】
【技術分野】
【０００１】
本発明は、撮影レンズの焦点距離に合わせて発光源と照射レンズの距離を変えることにより照射角が変えられるズーム機能を持つストロボ装置に関するものである。
【背景技術】
【０００２】
ストロボ装置では、撮影レンズの焦点距離にあわせて照射角を変えた方が、エネルギーが無駄にならない。
【０００３】
このため照射角が変えられるような機構を有するストロボ装置が市販されている。
【０００４】
照射角を変えるための方法の１つとして、キセノン管などの発光源とその前面に配されたフレネルレンズまたは反射傘との距離を変えるという方法がある（特許文献１）。さらに、この方法を実現するための機構の１つとして、フレネルレンズをパルスモータなどのように位置制御が可能なモータで駆動して、所望の位置に移動させ、所望の照射角を得るという方法がある。
【特許文献１】特願平９−３２５３８７号公報
【発明の開示】
【発明が解決しようとする課題】
【０００５】
フレネルレンズをパルスモータにより駆動する場合、その位置でフレネルレンズを保持しておくためには、パルスモータの保持力だけで保持しているのが一般的である。
【０００６】
そのため、外からの衝撃が加わった場合には、保持位置からずれて、所望の照射角が得られないという欠点がある。
【０００７】
パルスモータに励磁電流を流し続ければ、保持力は高くなるが、強い衝撃が加わった場合には、やはり保持位置からのずれは発生してしまう。また、電流を流し続けるということが、電池の消耗を早めるという２次的な欠陥をもたらすために、あまり有効な対策にはならない。
【０００８】
このような問題を解決するための別の手段としては、保持位置を検出するための位置検出手段があればよいが、精度がよく、分解性能の高い位置検出手段の設置は、ストロボ装置のコスト増を招く欠点がある。
【０００９】
以上のような状況から、これまでのストロボ装置では、電源の投入時および電源節約状態からの復帰の際には、所定位置からのパルスモータの駆動パルスによって初期の位置に移動させている。これによって、偶発的に外部から加わった衝撃で保持位置からずれているかもしれないという懸念事項に対して、再度位置出しを行うことで回避している。
【００１０】
しかしながら、電源の投入時および電源節約状態からの復帰の際には、初期の位置に移動させることによって、撮影するまでに時間がかかってしまうという欠点があった。
【００１１】
（発明の目的）
本発明の第１の目的は、偶発的に外部から加わった衝撃による保持位置からのずれを回避することができるとともに、電源スイッチのオンおよび電源節約状態からの復帰の際には、発光源と照射レンズの距離を初期の状態に移動させることによって、撮影するまでに時間がかかってしまうという欠点を排除することができるストロボ装置を提供することである。
【００１２】
本発明の第２の目的は、偶発的に外部から加わった衝撃による保持位置からのずれを回避することができるとともに、電源スイッチがオフからオンとなる際、および電源節約状態からの復帰の際には、発光源と照射レンズの距離を初期の状態に移動させることによって、撮影するまでに時間がかかってしまうという欠点を排除することができ、さらに、電源電池の消耗にも配慮したストロボ装置を提供することである。
【課題を解決するための手段】
【００１３】
上記第１の目的を達成するために、本発明は、撮影レンズの焦点距離に合わせて発光源と照射レンズの距離を変えることにより照射角が変えられるズーム機能を持ち、前記発光源と照射レンズの距離を変える駆動手段を有し、電源スイッチのオンおよび電源節約状態からの復帰の際には、前記駆動手段によって前記発光源と照射レンズの距離を初期の状態に移動させるストロボ装置において、前記電源スイッチのオフの期間および電源節約状態の期間でも電源が供給されて、外部からの衝撃を検出する衝撃検出手段と、前記衝撃検出手段からの出力より、前記電源スイッチのオフの期間もしくは電源節約状態の期間に、外部からの衝撃があったと判定した場合には、前記電源スイッチのオンおよび電源節約状態からの復帰の際に、前記駆動手段によって前記発光源と照射レンズの距離を初期の状態に移動させるように制御するとともに、前記電源スイッチのオフの期間もしくは電源節約状態の期間に、外部からの衝撃がなかったと判定した場合には、前記電源スイッチのオンおよび電源節約状態からの復帰の際に、前記駆動手段によって前記発光源と照射レンズの距離を初期の状態に移動させないように制御する制御手段とを有するストロボとするものである。
【００１４】
また、上記第２の目的を達成するために、本発明は、撮影レンズの焦点距離に合わせて発光源と照射レンズの距離を変えることにより照射角が変えられるズーム機能を持ち、前記発光源と照射レンズの距離を変える駆動手段を有し、電源スイッチのオンおよび電源節約状態からの復帰の際には、前記駆動手段によって前記発光源と照射レンズの距離を初期の状態に移動させるストロボ装置において、前記電源節約状態の期間でも電源が供給されて、外部からの衝撃を検出し、前記電源スイッチのオフの期間では電源の供給が断たれる衝撃検出手段と、前記衝撃検出手段からの出力より、前記電源節約状態の期間に、外部からの衝撃があったと判定した場合には、電源節約状態からの復帰の際に、前記駆動手段によって前記発光源と照射レンズの距離を初期の状態に移動させるように制御するとともに、前記電源節約状態の期間に、外部からの衝撃がなかったと判定した場合には、前記電源節約状態からの復帰の際に、前記駆動手段によって前記発光源と照射レンズの距離を初期の状態に移動させないように制御し、前記電源スイッチがオフからオンとなる際には、前記衝撃検出手段の出力に無関係に前記駆動手段によって前記発光源と照射レンズの距離を初期の状態に移動させるように制御する制御手段とを有するストロボ装置とするものである。
【発明の効果】
【００１５】
本発明によれば、偶発的に外部から加わった衝撃による保持位置からのずれを回避することができるとともに、電源スイッチのオンおよび電源節約状態からの復帰の際には、発光源と照射レンズの距離を初期の状態に移動させることによって、撮影するまでに時間がかかってしまうという欠点を排除することができる。
【００１６】
また、本発明によれば、偶発的に外部から加わった衝撃による保持位置からのずれを回避することができるとともに、電源スイッチがオフからオンとなる際、および電源節約状態からの復帰の際には、発光源と照射レンズの距離を初期の状態に移動させることによって、撮影するまでに時間がかかってしまうという欠点を排除することができ、さらに、電源電池の消耗を軽減することができる。
【発明を実施するための最良の形態】
【００１７】
本発明を実施するための最良の形態は、以下の実施例１および２に示す通りである。
【実施例１】
【００１８】
本発明の実施例１を図１ないし図８により以下に説明する。
【００１９】
図１は、本発明の実施例１に係わるストロボ装置の構成を示している。
【００２０】
３０はストロボ本体である。ストロボ本体３０において、３１は発光源としてのキセノン管であり、電流エネルギーを発光エネルギーに変換する。３２は照射レンズとしてのフレネルレンズ、３３は反射板であり、それぞれ発光エネルギーを効率良く被写体に向けて集光する役目を持つ。
【００２１】
フレネルレンズ３２はストロボ本体３０とは別のフレネルレンズユニット４３に取り付けられ、ストロボ本体３０に対して光が照射される方向に可動可能な構成となっている。
【００２２】
４１は駆動手段としてのパルスモータであり、ギアユニットとともにストロボ本体３０に対してフレネルレンズユニット４３を前後に動かす駆動装置を構成している。
【００２３】
３７はグラスファイバーであり、キセノン管３１の発光量をモニタするために、キセノン管３１から発光した光の一部をフォトダイオード等の第１の受光素子３８に導く。これにより、キセノン管３１の予備発光および本発光の光量をモニタすることができる。
【００２４】
３６は、反射笠３３と一体となったライトガイドであり、グラスファイバー３７にキセノン管３１からの光の一部を反射して導く。
【００２５】
３９は不図示のカメラとストロボ装置との通信インターフェイスとなる、ホットシューに設けられたストロボ接点群である。４２はストロボ本体３０の内部に配置された衝撃検出手段としての衝撃検出センサー（加速度センサー）である。
【００２６】
次に、ストロボ装置の構成について、図２を用いて説明する．なお、図１と同じ構成には同じ参照番号を付し、説明を省略する。
【００２７】
図２において、２０１は電源電池である。２０２はＤＣ−ＤＣコンバータであり、電源電池２０１の電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７は発光停止時に発生する逆起電圧を吸収するためのダイオードである。
【００２８】
２１１はトリガ発生回路、２１２はＩＧＢＴなどの発光制御回路である。２３２は閃光発光時の発光量制御用のコンパレータである。２３６は受光素子３８に流れる光電流を対数圧縮するとともに、キセノン管３１の発光量を圧縮積分するための積分測光回路である。
【００２９】
５１はパルスモータ４１を駆動するための駆動回路であり、ストロボマイコン２３８からの信号により、パルスモータ４１を回転または逆回転させるための位相パルス信号を出力する。
【００３０】
ＳＷＯＮはストロボ装置の電源オンオフを切り換えるためのメイン電源スイッチであり、本発明の電源スイッチに相当する。ＳＷＰＭはストロボ本体３０に対してフレネルレンズユニット４３が最も接近したときにオンとなる位置検出スイッチである。２３８はストロボ装置全体の動作を制御する制御手段としてのストロボマイコンである。
【００３１】
次に、ストロボマイコン２３８の各端子について説明する。
【００３２】
ＣＮＴはＤＣ／ＤＣコンバータ２の充電を制御する制御出力端子、ＡＤ１は充電電圧を読み込むためのＡ／Ｄ変換入力端子、ＣＬＫはカメラとシリアル通信を行うための同期クロックの入力端子である。ＤＯは同期クロックに同期して、ストロボ装置からカメラにシリアルデータを転送するためのシリアル出力端子、ＤＩは同期クロックに同期して、カメラからストロボ装置にシリアルデータを受け取るためのシリアルデータ入力端子である。ＣＨＧはストロボ装置からカメラにキセノン管３１の発光可否を伝達するための出力端子、Ｘはカメラからの閃光発光指令が入力される入力端子である。ＤＡ０はコンパレータ２３２のコンパレート電圧を出力するためのＤ／Ａ出力端子、ＴＲＩＧは発光トリガ信号の出力端子である。
【００３３】
Ｐ１はパルスモータ４１を駆動するために駆動回路５１に対する信号を出力する出力ポート、Ｐ２は衝撃検出センサー４２からの信号が入力される入力ポートである。Ｐ４はメイン電源スイッチＳＷＯＮを読み取るための入力ポート、Ｐ３は位置検出スイッチＳＷＰＭを読み取るための入力ポート、Ｐ５は衝撃検出センサー４２に電源を供給するための出力ポートである。出力ポートＰ５からハイレベルの出力がなされているときは衝撃検出センサー４２には電源が供給される。
【００３４】
次に、以上のように構成されたストロボ装置の動作について、ストロボマイコン２３８の動作をベースにして図３のフローチャートに沿って詳細に説明する。
【００３５】
なお、ストロボマイコン２３８の動作についてはマルチタスクでの動作を前提としており、以下で説明する複数のフローチャートのいくつかは同時に進行されるものである。同時進行されるフローチャートはその都度にその説明を行う。
【００３６】
まず図３では、 図２で示したストロボ装置に電源電池２０１が始めて装填され、メイン電源スイッチＳＷＯＮがオンされた場合に処理を開始する部分の動作について説明する。
【００３７】
［ステップ＃３０１］フレネルレンズユニット４３をストロボ本体３０に接近する方向に駆動すべく、パルスモータ４１を回転させる。
【００３８】
［ステップ＃３０２］位置検出スイッチＳＷＰＭはストロボ本体３０に対してフレネルレンズユニット４３が最も接近したときにオンとなるもので、この位置検出スイッチＳＷＰＭがオンになるまで待つ。
【００３９】
［ステップ＃３０３］パルスモータ４１を停止させる。
【００４０】
［ステップ＃３０４］カメラと通信して、装着されている撮影レンズの焦点距離を得る。
【００４１】
［ステップ＃３０５］撮影レンズの焦点距離に見合う照射角になる位置まで駆動するためのパルス数を計算する。あるいはテーブル引きで算出する。
【００４２】
［ステップ＃３０６］計算した数のパルスをパルスモータ４１に与え、撮影レンズの焦点距離に見合う照射角になる位置までフレネルレンズ３２を駆動する。
【００４３】
［ステップ＃３０７］出力ポートＰ５からハイレベルの出力を行い、衝撃検出センサー４２に電源を供給する。衝撃検出割り込みを許可し、外から衝撃が加わった場合はストロボマイコン２３８に割り込み処理が発生するように設定する。以後、メイン電源スイッチＳＷＯＮのオン、オフに関係なく、つまりメイン電源スイッチＳＷＯＮのオフの期間および電源節約状態の期間でも、衝撃検出センサー４２には電源が供給される。
【００４４】
（電源が最初に投入されたときのまとめ）
フレネルレンズユニット４３の初期位置出しを行い、さらに装着されている撮影レンズの焦点距離に見合う照射角になる位置まで駆動し、外から衝撃が加わった場合はストロボマイコン２３８に割り込み処理が発生するように設定する。
【００４５】
次に、図４のフローチャートでは撮影動作について説明する。
【００４６】
［ステップ＃４０１］カメラから送られてくる発光量を受信する。
【００４７】
［ステップ＃４０２］発光タイミングをとるＸ信号がオンするまで待つ。
【００４８】
［ステップ＃４０３］受信済みの発光量に従って発光する。
【００４９】
（撮影動作のまとめ）
カメラから送られてくる発光量を受信し、Ｘ信号がオンしたら受信済みの発光量に従って発光する。
【００５０】
図５のフローチャートでは、電源節約状態に入る場合の処理について説明する。図５のフローチャートはマルチタスクで同時に進行されるものである。
【００５１】
［ステップ＃５０１］９０秒タイマーをスタートする。
【００５２】
［ステップ＃５０２］カメラと通信したか、もしくはどれかのスイッチが操作されれば、ステップ＃５０１に戻る。カメラと通信しないし、スイッチも操作されなければ、ステップ＃５０３に分岐する。
【００５３】
［ステップ＃５０３］９０秒の時間が経過したかをチェックし、９０秒の時間が経過していなければ、ステップ＃５０２に戻り、以上の動作を繰り返す。９０秒の時間が経過していれば、ステップ＃５０４に分岐する。
【００５４】
［ステップ＃５０４］制御出力端子ＣＮＴからローレベルの信号を出力して、図２のＤＣ−ＤＣコンバータ２０２の動作を停止させ、電源節約モードに設定する。
【００５５】
（電源節約状態に入る場合の処理のまとめ）
９０秒経過後はＤＣ−ＤＣコンバータ２０２の動作を停止させる。
【００５６】
図６のフローチャートでは、衝撃検出信号が発生した場合の割り込み処理について説明する。図６のフローチャートは割り込みで処理されるものである。
【００５７】
［ステップ＃６０１］衝撃が発生したことを記憶する衝撃検出フラグを立てる。
【００５８】
（衝撃検出信号が発生した場合の割り込み処理のまとめ）
衝撃が発生したことを記憶する衝撃検出フラグを立てる。
【００５９】
図７のフローチャートでは、電源節約状態から抜けた場合の処理について説明する。カメラから通信されるか、どれかのスイッチが操作されることによって、電源節約状態から抜ける。
【００６０】
［ステップ＃７０１］
電源節約モード中に衝撃検出されていたかどうかを衝撃が発生したことを記憶する衝撃検出フラグで判定する。発生していなければ、何もすることはないので処理を終了する。電源節約モード中に衝撃検出されていたと判定した場合は、フレネルレンズユニット４３の初期位置出しを行うため、最初に電源を投入されたのと同様に以下の処理を行う。
【００６１】
［ステップ＃７０２］フレネルレンズユニット４３をストロボ本体３０に接近する方向に駆動すべく、パルスモータ４１を回転させる。
【００６２】
［ステップ＃７０３］位置検出スイッチＳＷＰＭがオンになる（ストロボ本体３０に対してフレネルレンズユニット４３が最も接近したとき）まで待つ。
【００６３】
［ステップ＃７０４］パルスモータ３１を停止させる。
【００６４】
［ステップ＃７０５］カメラと通信して、装着されている撮影レンズの焦点距離を得る。
【００６５】
［ステップ＃７０６］撮影レンズの焦点距離に見合う照射角になる位置まで駆動するためのパルス数を計算する。あるいはテーブル引きで算出する。
【００６６】
［ステップ＃７０７］計算した数のパルスをパルスモータ４１に与え、撮影レンズの焦点距離に見合う照射角になる位置までフレネルレンズ３２を駆動する。
【００６７】
［ステップ＃７０８］衝撃が発生したことを記憶する衝撃検出フラグを落とす（０にリセットする）。
【００６８】
（電源節約状態から抜けた場合の処理のまとめ）
電源節約モード中に衝撃検出されていたと判定した場合には以下の処理をする。
【００６９】
フレネルレンズユニット４３の初期位置出しを行い、さらに装着されている撮影レンズの焦点距離に見合う照射角になる位置まで駆動し、外から衝撃が加わった場合はストロボマイコン２３８に割り込み処理が発生するように設定する。
【００７０】
図８のフローチャートでは、メイン電源スイッチＳＷＯＮをオフにした状態からメイン電源スイッチＳＷＯＮをオンにした状態での処理について説明する。メイン電源スイッチＳＷＯＮがオフの状態でも、前述したように、衝撃検出センサー４２には電源が供給される。なお、フローチャートとしては省略するが、メイン電源スイッチＳＷＯＮをオフにした状態では、９０秒経過後に電源節約モードに入るときと同様に、図２のＤＣ−ＤＣコンバータ２０２の動作を端子ＣＮＴからローレベルの信号を出力することにより停止させている。
【００７１】
図８のフローチャートは、その状態からメイン電源スイッチＳＷＯＮをオンにした場合の処理である。
【００７２】
［ステップ＃８０１］メイン電源スイッチＳＷＯＮのオフ中に衝撃検出されていたかどうかを衝撃検出フラグで判定する。発生していなければ、何もすることはないので、処理を終了する。
【００７３】
メイン電源スイッチＳＷＯＮのオン中に衝撃検出されていたと判定した場合は、フレネルレンズユニット４３の初期位置出しを行うため、最初に電源を投入されたのと同様に以下の処理を行う。
【００７４】
［ステップ＃８０２］フレネルレンズユニット４３をストロボ本体３０に接近する方向に駆動すべく、パルスモータ４１を回転させる。
【００７５】
［ステップ＃８０３］位置検出スイッチＳＷＰＭがオンになるまで待つ。
【００７６】
［ステップ＃８０４］パルスモータ４１を停止させる。
【００７７】
［ステップ＃８０５］カメラと通信して、装着されている撮影レンズの焦点距離を得る。
【００７８】
［ステップ＃８０６］撮影レンズの焦点距離に見合う照射角になる位置まで駆動するためのパルス数を計算する。あるいはテーブル引きで算出する。
【００７９】
［ステップ＃８０７］計算した数のパルスをパルスモータ４１に与え、撮影レンズの焦点距離に見合う照射角になる位置までフレネルレンズ３２を駆動する。
【００８０】
［ステップ＃８０８］衝撃検出フラグを落とす。
【００８１】
（メイン電源スイッチＳＷＯＮがオンになった場合の処理のまとめ）
メイン電源スイッチＳＷＯＮのオフ中に衝撃検出されていたと判定した場合には以下の処理をする。
【００８２】
フレネルレンズユニット４３の初期位置出しを行い、さらに装着されている撮影レンズの焦点距離に見合う照射角になる位置まで駆動し、外から衝撃が加わった場合はストロボマイコン２３８に割り込み処理が発生するように設定する。
【００８３】
以上に述べた実施例１では、偶発的に外部から加わった衝撃による保持位置からのずれに対する回避策を提供するとともに、電源の投入時および電源節約状態からの復帰の際には、初期の位置に移動させることによって、撮影するまでに時間がかかってしまうという欠点を排除することが可能となるストロボ装置を提供することのできる実施例を説明した。
【実施例２】
【００８４】
本発明の実施例２は、基本的な動作については実施例１と同じである。異なる部分はメイン電源スイッチＳＷＯＮをオフにしたときと、メイン電源スイッチＳＷＯＮをオンにしたときの動作が違うだけであるため、その部分のみを説明し、他の部分の説明は省略する。
【００８５】
図９のフローチャートではメイン電源スイッチＳＷＯＮをオフにしたときのの処理について説明する。
【００８６】
［ステップ＃９０１］衝撃検出割り込み処理を禁止（ディスエーブル状態）する。
【００８７】
［ステップ＃９０２］出力ポートＰ５からローレベルの出力を行い、衝撃検出センサー４２の電源を断つ。これにより衝撃検出センサー４２で消費される電力が節約される。
【００８８】
［ステップ＃９０３］衝撃が発生したことを記憶する衝撃検出フラグを立てる。
【００８９】
［ステップ＃９０４］端子ＣＮＴからローレベルの信号を出力して、図２のＤＣ−ＤＣコンバータ２０２の動作を停止させる。
【００９０】
（メイン電源スイッチＳＷＯＮをオフにした場合の処理のまとめ）
衝撃検出センサー４２の電源を断ち、電力の消費を抑える。また図２のＤＣ−ＤＣコンバータ２０２の動作を停止させる。
【００９１】
図１０のフローチャートではメイン電源スイッチＳＷＯＮをオンにしたときの処理について説明する。
【００９２】
［ステップ＃１００１］フレネルレンズユニット４３をストロボ本体３０に接近する方向に駆動すべく、パルスモータ４１を回転させる。つまり、図８とは異なり、衝撃検出フラグが１か０かに無関係にパルスモータ４１を回転させる。
【００９３】
［ステップ＃１００２］位置検出スイッチＳＷＰＭがオンになるまで待つ。
【００９４】
［ステップ＃１００３］パルスモータ４１を停止させる。
【００９５】
［ステップ＃１００４］カメラと通信して、装着されている撮影レンズの焦点距離を得る。
【００９６】
［ステップ＃１００５］撮影レンズの焦点距離に見合う照射角になる位置まで駆動するためのパルス数を計算する。あるいはテーブル引きで算出する。
【００９７】
［ステップ＃１００６］計算した数のパルスをパルスモータ４１に与え、撮影レンズの焦点距離に見合う照射角になる位置までフレネルレンズ３２を駆動する。
【００９８】
［ステップ＃１００７］出力ポートＰ５からハイレベルの出力を行い、衝撃検出センサー４２に電源を供給する。
【００９９】
衝撃検出割り込みを許可し、外から衝撃が加わった場合はストロボマイコン２３８に割り込み処理が発生するように設定する。
【０１００】
（メイン電源スイッチＳＷＯＮがオンになったときのまとめ）
フレネルレンズユニット４３の初期位置出しを行い、さらに装着されている撮影レンズの焦点距離に見合う照射角になる位置まで駆動し、電力の消費節約のために電源を断たれていた衝撃検出センサー４２に電源を供給し、外から衝撃が加わった場合はストロボマイコン２３８に割り込み処理が発生するように設定する。
【０１０１】
以上に述べた実施例２では、偶発的に外部から加わった衝撃による保持位置からのずれに対する回避策を提供し、電源スイッチがオフからオンとなる際、および電源節約状態からの復帰の際には、初期の位置に移動させることによって、撮影するまでに時間がかかってしまうという欠点を排除することが可能となるとともに、電池の消耗にも配慮したストロボ装置を提供することのできる実施例を説明した。
【図面の簡単な説明】
【０１０２】
【図１】本発明の実施例１に係わるストロボ装置の概略構成を示す断面図である．
【図２】本発明の実施例１に係わるストロボ装置の電気回路構成を示す図である．
【図３】本発明の実施例１に係わるストロボ装置の電源投入時の動作を示すフローチャートである。
【図４】本発明の実施例１に係わるストロボ装置の発光命令受信時の動作を示すフローチャートである。
【図５】本発明の実施例１に係わるストロボ装置の電源節約モードでの動作を示すフローチャートである。
【図６】本発明の実施例１に係わるストロボ装置の衝撃検出割り込み発生時の動作を示すフローチャートである。
【図７】本発明の実施例１に係わるストロボ装置の電源節約モードからの復帰時の動作を示すフローチャートである。
【図８】本発明の実施例１に係わるストロボ装置のメイン電源スイッチオフからオンへの切換時の動作を示すフローチャートである。
【図９】本発明の実施例２に係わるストロボ装置のメイン電源スイッチオフ時の動作を示すフローチャートである。
【図１０】本発明の実施例２に係わるストロボ装置のメイン電源スイッチオン時の動作を示すフローチャートである。
【符号の説明】
【０１０３】
３０      ストロボ本体
３１      キセノン管
３２      フレネルレンズ
４１      パルスモータ
４２      衝撃検出センサー
４３      フレネルレンズユニット
５１      駆動回路
２０１    電源電池
２０２    ＤＣ−ＤＣコンバータ
２０３    メインコンデンサ
２３８    ストロボマイコン
ＳＷＯＮ  メイン電源スイッチ
ＳＷＰＭ  位置検出スイッチ
【図１】
2009229904.tif 000003
【図２】
2009229904.tif 000004
【図３】
2009229904.tif 000005
【図４】
2009229904.tif 000006
【図５】
2009229904.tif 000007
【図６】
2009229904.tif 000008
【図７】
2009229904.tif 000009
【図８】
2009229904.tif 000010
【図９】
2009229904.tif 000011
【図１０】
2009229904.tif 000012